(57)【要約】【課題】アークホーンの直接取付けが容易にできるヨークを備えた耐張がいし装置を提供する。【解決手段】鉄塔に支持されるがいし連と、そのがいし連にがいし連側連結金具を介して連結されるヨークと、そのヨークに連結される送電線側連結金具と、その送電線側連結金具に接続され、送電線を引留める耐張クランプとを有する耐張がいし装置において、ヨークを、２個のヨーク部材をヨーク部材連結金具により連結して構成し、その２個のヨーク部材にそれぞれがいし連側連結金具と送電線側連結金具とを連結し、そのヨークにアークホーンを取付けた。【選択図】図２
2007027083.tif 000002
【特許請求の範囲】
【請求項１】
鉄塔に支持されるがいし連と、そのがいし連にがいし連側連結金具を介して連結されるヨークと、そのヨークに連結される送電線側連結金具と、その送電線側連結金具に接続され、送電線を引留める耐張クランプとを有する耐張がいし装置において、前記ヨークは、２個のヨーク部材をヨーク部材連結金具により連結してなり、前記２個のヨーク部材にそれぞれ前記がいし連側連結金具と前記送電線側連結金具とが連結され、前記ヨークにアークホーンが取付けられていることを特徴とする耐張がいし装置。
【請求項２】
前記２個のヨーク部材は垂直部とその垂直部の中間部に設けられた水平部とを有し、前記ヨーク部材連結金具は前記２個のヨーク部材の前記水平部を連結するものであり、前記各ヨーク部材の垂直部の中間部に前記がいし連側連結金具を、前記各ヨーク部材の垂直部の両端部に前記送電線側連結金具をそれぞれ連結してあり、前記水平部に前記アークホーンが取り付けられていることを特徴とする請求項１に記載の耐張がいし装置。
【請求項３】
前記２個のヨーク部材は垂直部とその垂直部の両端部に設けられた水平部とを有し、前記ヨーク部材連結金具は前記２個のヨーク部材の前記水平部を連結するものであり、前記各ヨーク部材の垂直部の中間部に前記がいし連側連結金具を、前記各ヨーク部材の垂直部の両端部に前記送電線側連結金具をそれぞれ連結してあり、前記水平部に前記アークホーンが取り付けられていることを特徴とする請求項１に記載の耐張がいし装置。
【発明の詳細な説明】
【技術分野】
【０００１】
本発明は、鉄塔に送電線を支持するための耐張がいし装置に係り、特に送電線数が３以上の場合に使用されるものに関する。
【背景技術】
【０００２】
本明細書においては、相対する２つの鉄塔の間に送電線を張設するための耐張がいし装置に関して、その送電線張設方向つまり自鉄塔から相手鉄塔を臨んだ方向を線路方向と定義し、その線路方向に対して上空側と地面側の方向を上下方向と定義し、線路方向に対して直角水平方向を左右方向と定義する。
【０００３】
図８及び図９は、鉄塔に４送電線を支持する従来の２種類の耐張がいし装置の一例を示す図である。図８は送電線７に耐張クランプ６及び連結金具５を介して連結される送電線側ヨーク（以下、ヨークという。）４Ａが一体構造のヨークである場合のものであり、同図（ａ）はその耐張がいし装置の平面図、（ｂ）は同じく右側面図である。図９は送電線７に耐張クランプ６及び連結金具５を介して連結されるヨーク４Ｂがヨーク本体と三角形の２連ヨークを組合わせてなる場合のものであり、（ａ）は平面図、（ｂ）は右側面図である。
【０００４】
図８に示す従来の一体構造のヨークを用いる耐張がいし装置Ａは、がいし連の送電線側端部に連結金具１０を介して連結された一体構造のヨーク４Ａと、そのヨークに結合された連結金具５と、その連結金具５に結合された耐張クランプ６とから構成されている。送電線７は、耐張クランプ６により一つの耐張がいし装置Ａに支持される。その固定された送電線７の耐張クランプ６から鉄塔１の方向に延びる部分はジャンパ線８として、鉄塔１を迂回し、その鉄塔の別の位置に取り付けられている他の耐張がいし装置の耐張クランプに締着される。そして、耐張がいし装置Ａのヨーク４Ａには、がいし連の電気的シールドの目的で使用されるアークホーン（以下、単にホーンという。）９と、ジャンパ装置が固定されるが、ホーンはヨーク４Ａとは別体のがいし連側連結金具１０に設けたホーン取付部１０ａにホーン９を取付けている。そして、ジャンパ装置は、ヨーク４Ａに設けたリンク１１を用いて取付けられる。
【０００５】
また、図９に示す従来の耐張がいし装置Ｂが用いるヨーク４Ｂは、がいし連の鉄塔側ヨークと反対側のがいし連側に寄った位置で枢着されたヨーク本体４1 と、そのヨーク本体の両端部にそれぞれ枢着された２連ヨーク４2 ，４3 とで構成され、各２連ヨークの両端部に連結金具５がそれぞれ結合されている。このヨーク４Ｂの場合は、ヨーク本体４1 にホーン９とジャンパ装置（図示せず）が固定されるが、ホーン９はヨーク本体４1 に一体に形成された取付部にボルトナット等の固着具を用いて取付けられ、ジャンパ装置は、ヨーク本体４1 に設けたリンク１１を用いて取付けられる。
【特許文献１】特になし。
【発明の開示】
【発明が解決しようとする課題】
【０００６】
上述のように、図８に示す従来のヨーク４Ａの場合は、そのヨークとは別体の連結金具１０にホーン取付部１０ａを設けたものをヨークから延出するように取付けているから、ヨーク取付部を設けるための距離分だけ耐張がいし装置の長さが大きくなるという問題があった。
【０００７】
また、図９に示す従来のヨーク４Ｂの場合は、ホーン９をヨーク本体４1 に直接に取付けるので、がいし連３とヨーク４Ｂの間の連結金具１０にホーン取付部を設ける必要がないため、耐張がいし装置の長さを短くすることができる。しかし、ヨーク本体４1 と三角形の２連ヨーク４2 ，４3 が枢着され、送電線側連結金具５がその三角形の２連ヨークを介して連結されているため、三角形のヨーク分だけ装置が長くなる。そのため、ヨークや送電線側の金具に対するシールド効果が不十分となる。さらに、送電線側連結金具５がその三角形の２連ヨーク４2 ，４3 を介して連結されているので、耐張がいし装置の連結工事において２連ヨークが回動し易いから、連結金具５を２連ヨーク４2 ，４3 に連結する際は、左右のバランスに注意しながら行う必要があり、工事作業者に大きな負担となるという問題があった。
【０００８】
他方、支持される送電線の数が３以上用の従来のヨークにおいては、ヨークと送電線側連結金具との結合点が３次元的に配置されるので、ヨークの形状構造は張力に十分に耐え得るものである必要がある。さらに、耐張がいし装置の全長をできるだけ小さくする要請に応えるため、コンパクトに作られる傾向にある。
【０００９】
図１０は、図８の耐張がいし装置で用いられている送電線数が４本の場合のヨーク４Ａの展開図であり、（ａ）は正面図、（ｂ）は平面図、（ｃ）は左側面図である。図１０に示す例は、所要の強度及び堅固さを備えるため、複数枚（図１０の例では５枚）の金属板４ａ〜４ｅを交差・溶接して構成され、ホーン取付方向及びジャンパ装置取付方向には開放されていない閉鎖構造である。図１０のｈ1 はがいし連側連結金具を結合するための孔、ｈ2 は送電線側連結金具を結合するための孔であり、ｈ3 はジャンパ装置を取付けるための孔である。
【００１０】
このように、従来の、支持される送電線の数が３以上のヨークは、コンパクトでしかも所要の強度を備える目的で複数枚の金属板を交差溶接してなるため、図８及び図１０に４送電線用ヨーク４Ａの例を示すように、開放面の少ない箱状に形成されている。従って、従来のヨークには、ホーン取付部を設けるスペース及びホーン取付作業スペースの確保が困難であるため、ホーン取付部とジャンパ装置取付部が一体に設けられたものは使用されていない。
【００１１】
本発明は、上記の欠点を解決するためになされたものである。
【課題を解決するための手段】
【００１２】
上記課題を解決するため、本発明は、鉄塔に支持されるがいし連と、そのがいし連にがいし連側連結金具を介して連結されるヨークと、そのヨークに連結される送電線側連結金具と、その送電線側連結金具に接続され、送電線を引留める耐張クランプとを有する耐張がいし装置において、前記ヨークを、２個のヨーク部材をヨーク部材連結金具により連結して構成し、その２個のヨーク部材にそれぞれがいし連側連結金具と送電線側連結金具とを連結し、そのヨークにアークホーンを取付けたことを特徴としている（請求項１）。
【００１３】
上記耐張がいし装置は、前記２個のヨーク部材を垂直部とその垂直部の中間部に設けられた水平部とを有するものに形成し、その２個のヨーク部材の水平部をヨーク部材連結金具により連結することにより前記ヨークを構成し、前記各ヨーク部材の垂直部の中間部に前記がいし連側連結金具を、前記各ヨーク部材の垂直部の両端部に前記送電線側連結金具をそれぞれ連結し、前記水平部に前記アークホーンを取り付けた形態で実現することができる（請求項２）。
【００１４】
上記耐張がいし装置は、さらに、前記２個のヨーク部材を垂直部とその垂直部の両端部に設けられた水平部とを有するものに形成し、その２個のヨーク部材の水平部をヨーク部材連結金具により連結することにより前記ヨークを構成し、前記各ヨーク部材の垂直部の中間部に前記がいし連側連結金具を、前記各ヨーク部材の垂直部の両端部に前記送電線側連結金具をそれぞれ連結し、前記水平部に前記アークホーンが取り付けた形態で実現することもできる（請求項３）。
【発明の効果】
【００１５】
請求項１の発明によれば、次の効果が得られる。すなわち、
（あ）従来は、ホーンががいし連をヨークに連結する連結金具に取り付けられていたので、ホーンによるシールド効果がヨーク及びそのヨークを送電線に連結する連結金具や耐張クランプ等の付属金具まで及び難いため不十分であったが、本発明では、ホーンがヨーク自体に直接取り付けられるので、シールド効果がヨーク及び付属金具にも及ぶようになった。従って、送電電圧及び金具が同じでも金具からのコロナ放電が発生しにくくなり、また、同じ金具を用いても、シールド効果増強によりコロナ放電開始電圧が高くなるので、コロナ雑音や電波障害等が起きにくくなるとともに、送電電圧の高揚も可能である。
（い）２個のヨーク部材の間は開放されているので、ホーン取付作業の障害物が存在しないため、ホーン取付作業性が向上し、高所での作業安全性が向上する。また、ホーン形状・構造の自由度が向上する。また、開放構造により製造が容易になるので、ヨーク製造コストの低減が可能である。
（う）また、ヨークにホーンを取り付ける際は、そのホーンをヨークのホーン取付部に直接取り付けることができるから、ヨークには、ホーン取付スペースを有する別体の金具の取り付けが不要となる。従って、従来のヨークを用いるものと異なり、耐張がいし装置の長さをホーン取付スペース分だけ短くすることができる。
【００１６】
請求項２の発明によれば、各ヨーク部材の構成が簡単であるので、製造コストの低減が可能であり、また、２個のヨーク部材の間が開放されているので、ホーンの取付け作業がより容易にできる。
【００１７】
請求項３の発明によれば、２個のヨーク部材が、垂直部とその垂直部の両端部に設けられた水平部とを有し、垂直部の中間にがいし連側連結金具が、垂直部の両端部に送電線側連結金具がそれぞれ連結され、各ヨーク部材の互いに対向された水平部をヨーク部材連結金具により連結されているので、ヨークは送電線の張力に耐え得る十分に大きい機械的強度を備えることができる。また、垂直部と水平部の間にホーン取付け作業用スペースが確保される。
【発明を実施するための最良の形態】
【００１８】
次に、本発明の実施の形態について図１ないし図７の図面を参照しながら説明する。
図１は本発明に係る耐張がいし装置の一例を示す図であり、（ａ）は平面図、（ｂ）は右側面図である。図２は同装置において用いられているヨークの斜視図、図３は同ヨークの展開図であり、（ａ）はヨークのみの正面図、（ｂ）はそのヨークにがいし連側連結金具及び送電線側連結金具が連結され、ホーンが取付けられた状態の平面図、（ｃ）は同じく左側面図である。
【００１９】
図２に示すヨーク４Ｎ1 は、２個のヨーク部材４１，４１をヨーク部材連結金具４２により連結して構成されている。２個のヨーク部材４１，４１は、それぞれ垂直部とその垂直部の中間部に設けられた水平部とを有し、その対向する水平部がヨーク部材連結金具４２により連結されている。そして、各ヨーク部材４１，４１には、その垂直部の中間にがいし連側連結金具１０を連結するための孔（以下、単に、がいし連側連結金具取付孔という。）が設けられ、垂直部の両端部に送電線側連結金具５を連結するための孔（以下、単に、送電線側連結金具取付孔という。）が設けられている。また、各ヨーク部材４１，４１の水平部にホーン取付部４１ｅが設けられている。
【００２０】
さらに詳述すると、ヨーク部材４１，４１は垂直部と水平部を有して、左右対称形に形成されている。すなわち、それぞれ板状の垂直部４１ａの中間部にその垂直部に対して直角方向に延出する板状の水平部４１ｂを有して、正面形状がほぼ横転Ｔ字形に形成されている。そして、垂直部４１ａの上下方向中間位置のがいし連側部分に図１０のｈ1 に相当するがいし連側連結金具取付孔４１ｃが設けられ、垂直部４１ａの上下端部付近の送電線側部分に図１０のｈ2 に相当する送電線側連結金具取付孔４１ｄ，４１ｄが設けられている。また、水平部４１ｂは、一部ががいし連側に張り出され、その張り出された部分にホーンを取付けるためのホーン取付部４１ｅが設けられている。図示の例では、ホーン取付部４１ｅは上下方向に貫通する孔を有する。
【００２１】
ヨーク部材連結金具４２は、両端に溝を有する平行クレビスで構成されている。そして、その溝に左右のヨーク部材４１，４１の水平部４１ｂを挿入し、クレビスと水平部にピン４３を貫通することにより連結されている。
【００２２】
このような構造を有する本実施例のヨーク４Ｎ1 には、がいし連側連結金具取付孔４１ｃ，４１ｃと送電線側連結金具取付孔４１ｄ，４１ｄ；４１ｄ，４１ｄに、図１及び図３に示すように、がいし連側連結金具１０と送電線側連結金具５がそれぞれ連結される。そして、ホーン取付部４１ｅにその貫通孔を用いてホーン９が取り付けられる。
【００２３】
図２及び図３に示す例の場合は、がいし連側連結金具１０及び送電線側連結金具５が両側の垂直部に取り付けられて、水平部４１ｂの上下方向が開放されているので、ホーン取付部に対するホーン取付スペースが確保される。従って、ホーン取付作業も容易にできる。
【００２４】
水平部４１ｂの上下方向が開放されているので、ホーン取付部に対するホーン取付スペースが確保される点では、図４に示すように、各ヨーク部材４１の垂直部４１ａのがいし連側連結金具取付孔４１ｃと送電線側連結金具取付孔４１ｄの間の部分にホーン取付部４１ｅ´を設ける場合も同様である。
【００２５】
図５に示すヨーク４Ｎ2 は、２個のヨーク部材４１´，４１´が、垂直部とその垂直部の上下方向両端部に設けられた水平部とを有し、垂直部の中間にがいし連側連結金具取付孔４１ｃを、垂直部の上下端部に送電線側連結金具取付孔４１ｄ，４１ｄを有するものであり、各ヨーク部材４１´，４１´の互いに対向された水平部同士をヨーク部材連結金具４２，４２により連結して、正面形状が口字形のヨークが形成され、各ヨーク部材４１´，４１´の水平部にホーン取付部４１ｅ，４１ｅが設けられている例である。
【００２６】
さらに詳述すると、ヨーク４Ｎ2 は、左右２個のヨーク部材４１´，４１´と、上下２個のヨーク部材連結金具４２，４２とからなっている。ヨーク部材４１´，４１´は同一の構造を有する。すなわち、それぞれ上下方向に延びる垂直部４１ａの上下端部にその垂直部に対して直角方向に延出する水平板状の水平部４１ｂ´，４１ｂを有して、正面形状がほぼコ字形に形成されている。そして、垂直部４１ａの上下方向中間位置のがいし連側部分にがいし連側連結金具取付孔４１ｃが設けられ、垂直部４１ａの上下端部付近の送電線側部分に送電線側連結金具取付孔４１ｄ，４１ｄが設けられている。また、下側の水平部４１ｂは、一部ががいし連側に張り出され、その張り出された部分にホーン取付部４１ｅが設けられている。図示の例では、ホーン取付部４１ｅは上下方向に貫通する孔を有する。
【００２７】
上下のヨーク部材連結金具４２，４２は、両端に溝を有する平行クレビスで構成されている。そして、その溝に左右のヨーク部材４１´，４１´の水平部４１ｂを挿入し、クレビスと水平部にピン４３を貫通することにより連結されて、ヨークＢは全体として、正面形状ロ字形に形成されている。
【００２８】
このような構造を有する本実施例のヨーク４Ｎ2 には、がいし連側連結金具取付孔４１ｃ，４１ｃと送電線側連結金具取付孔４１ｄ，４１ｄ；４１ｄ，４１ｄに、図６に示すように、がいし連側連結金具１０と送電線側連結金具５がそれぞれ連結されている。そして、ホーン取付部４１ｅ，４１ｅにその貫通孔を用いてホーン９が取り付けられている。
【００２９】
図６に示す例の場合は、がいし連側連結金具１０及び送電線側連結金具５が両側の垂直部に取り付けられて、水平部４１ｂの上側が水平部４１ｂ´と両側の垂直部４１ａとの間において開放されているので、ホーン取付部に対するホーン取付スペースが確保される。従って、ホーン取付作業も容易にできる。
【００３０】
水平部４１ｂの上方が開放されているので、ホーン取付部に対するホーン取付スペースが確保される点では、図７に示すように、各ヨーク部材４１´，４１´の垂直部４１ａのがいし連側連結金具取付孔（図５の４１ｃを参照）と送電線側連結金具取付孔（図５の４１ｄを参照）の間の部分にホーン取付部４１ｅ´を設ける場合も同様である。
【図面の簡単な説明】
【００３１】
【図１】本発明に係る耐張がいし装置の一例を示す図であり、（ａ）は平面図、（ｂ）は右側面図。
【図２】同装置において用いられているヨークの斜視図。
【図３】同ヨークの展開図であり、（ａ）はヨークのみの正面図、（ｂ）はそのヨークにがいし連側連結金具及び送電線側連結金具が連結され、ホーンが取付けられた状態の平面図、（ｃ）は同じく左側面図。
【図４】図２に示されたヨークの垂直部にホーンを直接取付ける例を示す図であり、（ａ）はヨークのみの正面図、（ｂ）はそのヨークにがいし連側連結金具及び送電線側連結金具が連結され、ホーンが取付けられた状態の平面図、（ｃ）は同じく左側面図。
【図５】他の実施の形態におけるヨークの斜視図。
【図６】同ヨークの展開図であり、（ａ）はヨークのみの正面図、（ｂ）はそのヨークにがいし連側連結金具及び送電線側連結金具が連結され、ホーンが取付けられた状態の平面図、（ｃ）は同じく左側面図。
【図７】図５に示されたヨークの垂直部にホーンを直接取付ける例を示す図であり、（ａ）はヨークのみの正面図、（ｂ）はそのヨークにがいし連側連結金具及び送電線側連結金具が連結され、ホーンが取付けられた状態の平面図、（ｃ）は同じく左側面図。
【図８】従来の一体構造のヨークを用いている耐張がいし装置の一例を示す図。
【図９】従来の組合わせ構造のヨークを用いている耐張がいし装置の一例を示す図。
【図１０】図８のヨークの展開図であり、（ａ）は正面図、（ｂ）は平面図、（ｃ）は左側面図。
【符号の説明】
【００３２】
ＮＡ    耐張がいし装置
２      鉄塔側ヨーク
３      がいし連
４Ｎ1 ，４Ｎ2     送電線側ヨーク（ヨーク）
ｈ1 ，４１ｃ      がいし側連結金具取付孔
ｈ2 ，４１ｄ      送電線側連結金具取付孔
４１ａ            垂直部
４１ｂ，４１ｂ´  水平部
４１ｅ，４１ｅ´  ホーン取付部
４２    ヨーク部材連結金具
５      送電線側連結金具
９      ホーン
１０    がいし側連結金具
【図１】
2007027083.tif 000003
【図２】
2007027083.tif 000004
【図３】
2007027083.tif 000005
【図４】
2007027083.tif 000006
【図５】
2007027083.tif 000007
【図６】
2007027083.tif 000008
【図７】
2007027083.tif 000009
【図８】
2007027083.tif 000010
【図９】
2007027083.tif 000011
【図１０】
2007027083.tif 000012